(57)【特許請求の範囲】
【請求項１】
少なくとも１本の連続した線状物を、同軸上で複数並列して配置された回転軸から放射状に先端がコ字状の複数のハンドを有する環状又は多角状の巻枠体に、線状物の上流側に設けられた前記巻枠体の軸方向に摺動自在の第１トラバースと、下流側に設けられた前記巻枠体の軸方向に摺動自在かつ巻枠体と平行および上下方向に移動可能な第２トラバースを使用してそれぞれ所定の巻数で各々巻取る方法であって、
前記第１トラバースおよび第２トラバースによってガイドされた線状物が満巻となった満巻巻枠体から、空の空巻枠体に線状物を切り替える際に、
満巻巻枠体及び空巻枠体を減速又は停止状態にする工程、
前記第１トラバースが前記空巻枠体側に摺動すると同時に第２トラバースが前記巻枠体側に摺動し、かつ線状物の下流側に移動して前記線状物を満巻直後の係止位置から空巻枠体上に移動させる工程、
前記空巻枠体を、前記線状物が前記空巻枠体のハンドにその回転軸方向と平行に係止できる位置まで回転させて前記線状物を係止する工程、
前記第２トラバースを上方に移動させ前記線状物から離脱させる工程、
満巻巻枠体及び空巻枠体を同期回転させる工程、
回転に伴い満巻巻枠体と空巻枠体との間に横架した線状物を切断する工程
の各工程を含むことを特徴とする線状物の巻取り方法。
【請求項２】
前記線状物の巻取り方法において、線状物が一定速度で供給されているときに、少なくとも満巻巻枠体の減速又は停止状態を検出し、アキューム機構により該線状物が該巻枠体に至る速度を減速又は停止させることを特徴とする請求項１に記載の線状物の巻取り方法。
【請求項３】
前記線状物の巻取り方法において、線状物を切断する際に、該空巻枠体側に偏った部位で切断することを特徴とする請求項１又は２に記載の線状物の巻取り方法。
【発明の詳細な説明】
【技術分野】
【０００１】
本発明は、連続した線状物を巻取る際の巻取り方法とその装置に関し、特に満巻の巻枠体から空の巻枠体に糸を自動的に切り替える技術に係る。
【背景技術】
【０００２】
従来から１本または多数本の連続した線状物を巻取って線状物の束を作ることが行われており、例えば、中空糸膜、合成畳表、ブラシなどは線状物の束を作成した後に、それを一定長に裁断して生産されている。特に中空糸膜は、自動車産業、半導体産業、医薬食品産業（例えば、医療用の血液透析フィルター）などの多方面において使用されており、その用途からも高い品質が求められている。
【０００３】
上記のように中空糸や中空糸束などの線状物を巻取る際には、同軸上で複数並列して巻枠体を配置し、一方の巻枠体に巻取り作業を行っている間には他の巻枠体から包装や切断などの作業を行い、空の巻枠体にする。そして、巻取って満巻となると満巻巻枠体から、空巻枠体に線状物の巻取りを切り替える。これにより、巻取り作業と取り出し作業を平行して行える為、工程上効率が良い。
【０００４】
図１に斜視図を示すように、従来の巻取り装置（１００）では、２つの並列した巻枠体（１０１）（１０２）をそれぞれの駆動装置（１０３）（１０４）によって回転駆動し、満巻側の巻枠体（１０２）から線状物（１０５）を空の巻枠体（１０１）にトラバースしている。トラバースは、巻枠体（１０１）（１０２）の軸方向に摺動するトラバース機構（１０６）が線状物の位置を切り替えることにより行う。
そして、図２に平面図を、図３に正面図を示すように、満巻巻枠体（１０２）のハンド（１０７）から空巻枠体（１０１）のハンド（１０８）に線状物が斜めに乗り移るようになっている。
斜めに渡した線状物（渡り糸）は、２つの巻枠体（１０１）（１０２）が同時に回転することによって、巻枠体間に設置されたカッターによって切断され、満巻巻枠体は停止し、空巻枠体には満巻となるまで巻取りを行う。
【０００５】
ところがこのような構成では、斜めに渡した線状物（渡り糸）の長さが長い為に、図４のように満巻巻枠体（１０２）側に多く残して切断すると、渡り糸部分（１１０）も含めて包装してしまう恐れがあり、製品不良の原因となる。
また、図５のように空巻枠体（１０１）側に渡り糸（１１１）を多く残すと、巻取り途中で巻き込んでしまう恐れがある。あるいは、空巻枠体（１０１）が満巻となって再び他方の巻枠体（１０２）に渡り糸（１１２）を渡して切断する際に、残っていた渡り糸（１１１）を再度切断し、その断片が製品に混入する恐れがあった。
【０００６】
従って、このような渡り糸は短い方が好ましく、例えば空巻枠体側の回転速度を満巻巻枠体側の回転速度より速くして、満巻巻枠体との渡り糸が平行になるように制御する方法があったが、巻枠体の線状物に弛みが生じてしまい、安定して巻取ることができなかった。
【発明の開示】
【発明が解決しようとする課題】
【０００７】
本発明は、上記従来技術の有する問題点に鑑みて創出されたものであり、その目的は、線状物を巻取る巻枠体を切り替える際に、線状物を連続供給しながら線状物の渡り長を最短にする線状物の巻取り方法及び装置を提供することを目的とする。
【課題を解決するための手段】
【０００８】
上記目的を達成するために、本発明による線状物の巻取り方法は次のような特徴を備える。
すなわち、請求項１に記載の発明は、少なくとも１本の連続した線状物を、同軸上で複数並列して配置された回転軸から放射状に先端がコ字状の複数のハンドを有する環状又は多角状の巻枠体に、線状物の上流側に設けられた前記巻枠体の軸方向に摺動自在の第１トラバースと、下流側に設けられた前記巻枠体の軸方向に摺動自在かつ巻枠体と平行および上下方向に移動可能な第２トラバースを使用してそれぞれ所定の巻数で各々巻取る方法であって、前記第１トラバースおよび第２トラバースによってガイドされた線状物が満巻となった満巻巻枠体から、空の空巻枠体に線状物を切り替える際に、満巻巻枠体及び空巻枠体を減速又は停止状態にする工程、前記第１トラバースが前記空巻枠体側に摺動すると同時に第２トラバースが前記巻枠体側に摺動し、かつ線状物の下流側に移動して前記線状物を満巻直後の係止位置から空巻枠体上に移動させる工程、前記空巻枠体を、前記線状物が前記空巻枠体のハンドにその回転軸方向と平行に係止できる位置まで回転させて前記線状物を係止する工程、前記第２トラバースを上方に移動させ前記線状物から離脱させる工程、満巻巻枠体及び空巻枠体を同期回転させる工程、回転に伴い満巻巻枠体と空巻枠体との間に横架した線状物を切断する工程の各工程を含むことを特徴とする。
【０００９】
請求項２に記載の線状物の巻取り方法は、線状物が一定速度で供給されているときに、少なくとも満巻巻枠体の減速又は停止状態を検出し、アキューム機構により該線状物が該巻枠体に至る速度を減速又は停止させることを特徴とするものである。
【００１０】
請求項３に記載の発明は、線状物を切断する際に、該空巻枠体側に偏った部位で切断することを特徴とする線状物の巻取り方法である。
【発明の効果】
【００１７】
以上の手段により次の効果を奏する。すなわち、請求項１に記載された線状物の巻取り方法により、巻枠体間で横方向に線状物を渡すことができるので、渡り長を最短にすることができ、渡り糸の混入等による製品不良の発生を防止することができる。また、線状物の廃棄量の削減にも寄与する。
請求項２に記載の巻取り方法では、アキューム機構によって線状物が連続的に供給されていても、供給速度を変更することなく巻枠体の回転を停止して自動的な切り替え作業が可能になる。
請求項３に記載の巻取り方法では、線状物を空巻枠体側に偏った部位で毎回切断することにより、巻取り開始時に切り取った際の線状物は短く、満巻時には長くなるため、２度切りを行うおそれがなく、製品への混入や巻取り時の巻き込みも防止することができる。
【発明を実施するための最良の形態】
【００２０】
以下、本発明の最良と考えられる実施形態を、図面に示す実施例を基に説明する。なお、実施形態は下記に限定されるものではない。
図６は本発明に係る線状物の巻取り装置の全体図平面図、図７は同、正面図である。本装置（Ａ）には同軸上に配設された２つの第１巻枠体（１０）・第２巻枠体（１１）（以下、総称する場合には巻枠体と呼ぶ）と、それぞれを独立して回転駆動可能な駆動装置（１２）（１３）、駆動装置（１２）（１３）を支持する支持台（１４）（１５）及び、トラバース機構（２０）、ダンサーロール機構（３０）、アキューム機構（４０）を備えている。
【００２１】
巻枠体（１０）（１１）は、図１にも示したように、回転軸から放射状に複数のハンド（１６）・・を配設した形状であり、ハンド（１６）・・の先端はコ字状を形成し、該凹部内に線状物を巻取るようになっている。このような構成では巻取られた線状物は多角状になるが、本発明において巻枠体の形状及び、巻取り後の線状物の形状は任意であって、例えば環状に巻取られる構成でもよい。
【００２２】
駆動装置（１２）（１３）は、サーボモータであってそれぞれの回転数を自在に設定することができ、かつ２つの巻枠体（１０）（１１）を同期回転させることもできる。通常時、駆動装置（１２）（１３）の回転速度制御はダンサーロール機構（３０）によって行っている。
【００２３】
ダンサーロール機構（３０）は図示のような振り子式のダンサーロール（３１）を回動軸（３３）で枢支したダンサーアーム（３２）の先端に回転自在に配設する。ダンサーアームは回動軸（３３）を中心に回動するので、ダンサーロール（３１）はガイドローラ（３４）（３４）間で上下動可能であるが、巻枠体（１０）（１１）の回転数制御においてダンサーアーム（３２）の位置が変化しないように制御するため、通常位置はほぼ一定である。
例えば、通常巻取り時にはダンサーアーム（３２）が僅かに下がると、それを図示しない回動位置検出手段が検出して巻き取りの回転数を上げ、逆に僅かに上がると回転数を下げる制御を行う。
【００２４】
このようなダンサーロール機構（３０）の作用によって、巻取り時などにおける線状物の張力変動を抑制することができる。ダンサーアーム（３２）の回動位置検出により回転数制御を行うため、ダンサーアーム（３２）の位置が急激に変化しないように巻枠体（１０）（１１）、アキューム機構（４０）の加減速には十分な余裕をもって行うようにしている。
上記のダンサーロール機構（３０）は振り子式のものを示したが、本発明では、ダンサーロール機構の構成は任意であって、例えば公知の低摩擦シリンダーを用いた垂直式のダンサーロールを用いることもできる。
【００２５】
そして、ダンサーロール機構（３０）の上流側には、アキューム機構（４０）が配設されている。アキューム機構（４０）には図示しない駆動モータにより回転駆動可能な駆動ロール（４１）〜（４３）と、固定板（４４）に軸支されたアキュームロール（４５）・・が交互に配設されて、線状物を順次巻回すると共に、該固定板（４４）はボールネジ機構を用いた上下アクチュエータ（４６）によって図示実線表示の下端位置から、図示点線表示の上端位置まで変動可能である。
【００２６】
本構成によると、通常アキュームロール（４５）が上端において線状物の走行をガイドする一方で、上下アクチュエータ（４６）が固定板（４４）を下方に変動させると共に線状物が該アキューム機構（４０）内に貯留し、後述の巻枠体（１０）（１１）停止時には、最下流の駆動ロール（４１）では走行速度が０となる。巻枠体停止時には、固定板（４４）は一定速度で下がり続けて貯留する。
貯留時には駆動ロールが上流に向かうに従って回転速度が速くなり、最上流の駆動ロール（４３）の回転速度は、停止前と変わらないので、線状物の供給装置においては連続的に線状物を供給することができる。
【００２７】
このようなアキューム機構（４０）の作動にもダンサーロール機構（３０）における回動位置検出手段の情報を用いる。すなわち、満巻を検出して巻枠体への巻取りを停止する際に、巻枠体の回転数を減速すると、ダンサーアーム（３２）が下がるため、これを検出してアキューム機構（４０）を作動制御する。
巻取りの停止中においては、該ダンサーアーム（３２）の位置が変化しないように、アキューム機構（４０）の速度を制御する。
【００２８】
さらに、トラバースを終えて空巻枠体への巻取りを開始する際には、アキューム機構（４０）が減速するため、同じくダンサーアーム（３２）が下がり、それを検出して巻枠体の回転を開始制御する。
巻枠体の回転速度が上昇するに従って、アキューム機構（４０）が減速すると共に、最下流の駆動ロール（４１）が回転速度を上げ、巻取り速度が糸の供給速度と等しくなると、アキューム機構（４０）は停止する。この時、固定板（４４）は動作領域における最下点に位置する。
【００２９】
その後、アキューム機構（４０）に貯留された線状物を巻枠体に供給する際には、上下アクチュエータ（４６）が固定板（４４）を上方に変動させると、ダンサーアーム（３２）が下がり、巻枠体の回転速度も上昇する。糸の供給速度は変化しないため、最下流の駆動ロール（４１）が最も速く回転し、駆動ロール（４３）の回転速度は変化しない。このとき、駆動源による回転速度は同一であるが、駆動ロール（４１）（４２）は空転することによってより速く回転する。
【００３０】
なお、本発明において、駆動ロール（４１）〜（４３）は線状物の通常走行時には同一の回転を行うが、アキューム機構（４０）の作動時に最上流の駆動ロール（４３）を除き駆動を停止する。そして、駆動ロール（４１）（４２）はアキュームロール（４８）の下降に伴って走行する線状物に従って自由に回転を行う。駆動ロール（４３）は常に線状物の供給速度と同一の回転を続けるため、別駆動となっており、その他の駆動ロール（４１）（４２）は同一駆動で停止し、回転自在となる。
別実施例として、駆動ロール（４１）〜（４３）をすべて同一駆動とし、最上流の駆動ロール（４３）についてもアキューム機構（４０）の作動時には駆動を停止して回転自在にする構成でもよい。
【００３１】
従来は駆動を用いないフリーロールであったため、ロールの回転が減速、加速する時に発生した慣性モーメントがすべて糸の負荷になる問題があった。そこで、本実施例では、同一駆動の駆動ロール（４１）（４２）を配設した上で、公知のトルクリミッタを付設し、該慣性モーメントをキャンセルできるように構成した。これにより、アキューム機構（４０）の停止時にはトルクリミッタの作用によって各駆動ロールが最適な速度まで迅速に減速又は停止できるようになっている。
【００３２】
なお、生じる慣性モーメントにつき詳述すると、アキューム機構（４０）が下がる時（下降が加速する時・巻取が減速する時）には、最下流の駆動ロール（４１）は回転数が０に向う一方、最上流の駆動ロール（４３）は紡糸速度で回りつづける。このときには同一駆動の駆動を停止し、最下流のロールの慣性モーメントを減らすことができる。アキューム機構（４０）が定速で下がっている時には、慣性モーメントは生じない。
さらに、アキューム機構（４０）が停止する時（下降が減速の時・巻取が加速する時）には、最下流の駆動ロール（４１）は回転数が紡糸速度に向かうため、同一駆動を開始し、該ロールにおける慣性モーメントを減少させる。
【００３３】
アキューム機構（４０）からの糸の吐き出し時には、逆に固定板（４７）を上下アクチュエータ（４９）により上方に変動させながら徐々に下流に向けて線状物を流しはじめ、それに伴い駆動ロール（４１）（４２）は徐々に回転速度を上げていく。このときにも、駆動ロール（４１）（４２）には回転と逆方向の慣性モーメントが発生するため、トルクリミッタによって駆動ロール（４１）（４２）が自由に回転（空転）できるようにする。
【００３４】
このようにトルクリミッタを駆動ロール（４１）（４２）に設ける他、別実施例として、駆動ロール（４１）（４２）毎にサーボモータで駆動する構成をとることもできる。
すなわち、公知のサーボモータでは駆動トルクを自在に制御することができるので、駆動ロール（４１）（４２）の駆動時・停止時の回転速度にあわせて駆動トルクを変じ、線状物に不安定な張力が発生しないようにする。
【００３５】
以上に説述した構成は、本発明の要部である巻枠体間の線状物の切り替えを連続的かつ自動的に行う上で極めて好適な実施例である。切り替え時の所要時間に応じて、アキューム機構（４０）のアキュームロール（４５）の数は適宜設定することができ、固定板（４４）の上下移動量とアキュームロール数（４５）を調整する。これにより、線状物の十分な長さの貯留が可能になるため、巻枠体の切り替えが確実かつ効率的に可能となる。アキューム機構（４０）では次に説述するトラバース機構（２０）の動作速度などに対応して必要十分なアキューム量を設定することが望ましい。
【００３６】
本発明では、図１で示したような１次元のトラバース（１０６）だけでなく、３次元方向に移動可能なトラバース機構（２０）を新たに配設することを提案する。すなわち、図６及び図７に示すように、巻枠体（１０）（１１）の上方であって、線状物の上流側に第１トラバース（２１）を、その直下流側に第２トラバースを設ける。
第１トラバース（２１）は、巻枠体（１０）（１１）の軸方向に摺動自在であって、従来と同様に線状物の位置を案内することができる。
【００３７】
一方、第２トラバース（２２）は、ガイド部材（２３）に従って、巻取り方向と平行にトラバース部を移動させることが出来る他、巻枠体と重なる程度まで下降したり、巻枠体と干渉しない程度まで上昇する上下方向の移動、さらに第１トラバース（２１）と基部を連設することによって巻枠体（１０）（１１）の軸方向の摺動も自在である。これらの駆動は図示しないコンピュータにより独立して制御可能となっている。
【００３８】
このような３次元方向に移動自在な第２トラバース（２２）を用いて、本発明は次のようなトラバース方法を実装する。図８ないし図１３はトラバース方法を順に説明する説明図であり、各図の（ａ）は平面図説明図、（ｂ）は正面図説明図である。
図８の状態は、第１巻枠体（１０）に線状物の巻取り作業を行っている場合であって、第２トラバース（２２）は第１トラバース側に寄って線状物をガイドした状態である。なお、（ａ）に示す黒点はそれぞれ第１トラバースと第２トラバースの位置を示したものである。
【００３９】
そして、第１巻枠体（１０）が満巻になると、第１巻枠体（１０）が回転を停止する。このとき、上記ダンサーロール機構（３０）が作用し、それに伴ってアキューム機構（４０）でアキューム動作が開始される。
そして図９のように、第１トラバース（２１）が第２巻枠体（１１）側に移動するのと同時に、第２トラバース（２２）は下流側（第１トラバースと離れた位置方向）に移動する。従って、第２トラバース（２２）は斜め方向の軌跡で移動する。なお、本願では第２トラバースの移動始端・終端のみを特徴としているので、移動軌跡は任意であり、例えば軸方向に移動した後に、巻取り方向に移動する構成や、２次曲線的な軌跡により移動してもよい。
【００４０】
線状物は、第２トラバース（２２）にガイドされて第２巻枠体にトラバースする。このとき、第１巻枠体・第２巻枠体共に静止しているため、第１巻枠体（１０）から軸方向と平行に最短で線状物を渡すことができる。
ところで、第１巻枠体（１０）ではハンド（１６ａ）によって係止されるため線状物は巻取り方向と垂直に移動するが、第２巻枠体のハンド（１６ｂ）が必ずしも対応する位置にあるとは限らない。
そこで、図１０に示すように、第２巻枠体（１１）を僅かに回転させてハンド（１６ｂ）が線状物を係止する位置まで移動させる。これにより、第１巻枠体（１０）から第２巻枠体（１１）に線状物を最短距離で掛け替えることが可能になる。
【００４１】
なお、上記において第１巻枠体（１０）を完全に停止する構成としたが、本発明では、第１巻枠体（１０）の回転速度を十分に減速して、ハンド（１６ａ）から第２巻枠体（１１）に線状物を案内し、第２巻枠体をわずかに回転させることによって線状物を横架させるように構成することもできる。このような減速の際にも、上記同様アキューム機構（４０）により実現可能である。
【００４２】
さらに、第２トラバース（２２）が図１１のように上昇し、線状物から離脱する。さらに、図１２のように上昇したままの状態で第２トラバース（２２）が第１トラバース（２１）側まで移動する。
最後に、図１３のように第２トラバース（２２）は再び下降して線状物をガイドし、それと共に第２巻枠体（１１）が第１巻枠体（１０）と共に同期して回転を開始する。
【００４３】
以上の工程により、本発明に係る第２トラバース（２２）を用いて満巻側の巻枠体から垂直に空の巻枠体に線状物をトラバースする動作が完了する。これらの各工程は短時間で行うことができるだけでなく、ハンドに確実に係止することによって、線状物の脱落などの恐れがなく、好適な巻取り方法に寄与するものである。
【００４４】
本発明は、必ずしも第１トラバース（２１）を配設せず、第２トラバース（２２）のみによってトラバース動作を行うように構成してもよい。ただし、第１トラバースによって、巻枠体に至る行程で線状物を平行に案内することができるので、安定した線状物の供給に寄与するので、第１トラバースの設置が望ましい。
【００４５】
従来、巻枠体間に渡した渡り糸は巻枠体間にカッターを設けて巻枠体の同期回転に伴って切断するように構成していた。
本発明では、このときの２度切りや切断糸の巻き込みなどを防ぐため、新規な構成のカッターを採用した。図７に示すように通常カッター（１７）は巻枠体（１０）（１１）と離脱した状態で待機し、切断時に巻枠体間に水平移動して渡り糸を切断する。
【００４６】
本構成に加えて、カッター（１７）を巻枠体の回転軸方向にも移動可能とし、渡り糸の切断位置を第１巻枠体（１０）側、第２巻枠体（１１）側のいずれか一方に偏った位置に変じることができるように構成した。
すなわち、図１４の（ａ）では第２巻枠体（１１）側に偏った位置であり、（ｂ）は第１巻枠体（１０）側に偏った位置である。
【００４７】
そして、切断位置は常に空巻枠体側に偏った位置となるようにした。本構成の意味するところは、最初の切断した残存部分と、次に切断した時の残存部分の長さが異なるようにすることである。
すなわち、各巻枠体について、はじめに他方の巻枠体からの渡り糸を切断した後、自巻枠体が満巻になると再び他の巻枠体への渡り糸を切断するため、最初の渡り糸の残存部分（５０）と、満巻時の渡り糸の残存部分（５１）の長さが異なる。最初の残存部分（５０）の長さが短いために２度目の切断時にこの残存部分（５０）とカッターが交差する恐れがなく、２度切りすることがない。
また、最初の残存部分（５０）は短いため、続く巻取り時にも巻き込む恐れがない。
【００４８】
本発明の実施においては、カッター（１７）を軸方向に移動させる構成の他、カッターを第１巻枠体（１０）側と、第２巻枠体（１１）側にそれぞれ別個に配置し、常に空巻枠体側のカッターを作動させる構成をとってもよい。
渡り糸の切断時には、両巻枠体（１０）（１１）が同期回転し、渡り糸の切断が終了した時点で、満巻側の第１巻枠体（１０）は回転を停止する。一方、アキューム機構（４０）においてアキュームロールが所定の速度で上昇を開始し、ダンサー機構（３０）の制御に従って、これから巻取り作業を行う第２巻枠体（１１）の回転速度が上昇する。
第１巻枠体（１０）の線状物はその後、例えば梱包や所定の長さ毎に裁断されて取り外され、再び空巻枠体として次の巻取り作業に備えておく。
【００４９】
本発明は、以上説述したように、連続的に線状物を供給しながら、アキューム機構によって線状物を貯留して巻枠体の回転停止を可能にすると共に、３次元動作が可能な第２トラバースを備えることで最短距離にて線状物の切り替えを実現する巻取り方法及び装置を提供するものである。
本構成は必ずしも２個の巻枠体の構成に限らず、複数並列して配置される巻取り装置であれば用いることができる。
【図面の簡単な説明】
【００５０】
【図１】従来の巻取り装置の構成を示す斜視説明図である。
【図２】同、巻枠体の平面図である。
【図３】同、巻枠体の一部正面図である。
【図４】同、渡り糸の切断における第１の態様を説明する平面図である。
【図５】同、第２の態様を説明する平面図である。
【図６】本発明に係る巻取り装置の全体平面図である。
【図７】同、全体正面図である。
【図８】本発明に係るトラバース工程（１）の説明図である。
【図９】本発明に係るトラバース工程（２）の説明図である。
【図１０】本発明に係るトラバース工程（３）の説明図である。
【図１１】本発明に係るトラバース工程（４）の説明図である。
【図１２】本発明に係るトラバース工程（５）の説明図である。
【図１３】本発明に係るトラバース工程（６）の説明図である。
【図１４】本発明に係る渡り糸切断方法の説明図である。
【符号の説明】
【００５１】
Ａ    巻取り装置
１０    第１巻枠体
１１    第２巻枠体
１２    駆動装置
１３    駆動装置
１４    支持台
１５    支持台
１６    ハンド
１７    カッター
２０    トラバース機構
２１    第１トラバース
２２    第２トラバース
２３    ガイド部材
３０    ダンサーロール機構
３１    ダンサーロール
３２    ダンサーアーム
３３    回動軸
３４    ガイドロール
４０    アキューム機構
４１〜４６    駆動ロール
４７    固定板
４８    アキュームロール
４９    上下アクチュエータ
【図１】
0004477866.tif 000002
【図２】
0004477866.tif 000003
【図３】
0004477866.tif 000004
【図４】
0004477866.tif 000005
【図５】
0004477866.tif 000006
【図６】
0004477866.tif 000007
【図７】
0004477866.tif 000008
【図８】
0004477866.tif 000009
【図９】
0004477866.tif 000010
【図１０】
0004477866.tif 000011
【図１１】
0004477866.tif 000012
【図１２】
0004477866.tif 000013
【図１３】
0004477866.tif 000014
【図１４】
0004477866.tif 000015